(57)【要約】【課題】外部の光量を元に表示装置の輝度を調整する際に、ユーザが気づかない、もしくは画面を注視していないタイミングで行うことで、ユーザの視覚負荷を軽減する車載用表示装置を提供する。【解決手段】車載用表示装置１６において、着信などの割り込み通知による画面変化時や、車両の動作情報を元にしたユーザの運転状況から、ユーザが表示部１３を注視していない状況であることを車載システム制御部１が判断し、そのタイミングに合わせて照度センサ７から取得した外部の光量を元に、表示部１３に対して輝度を変化させる。これにより、ユーザが輝度の変化を感知することなく輝度を調整することができる。【選択図】図１
2013185839.tif 000002
【特許請求の範囲】
【請求項１】
車両の位置などの車両情報を制御する車両データ制御部と、
外部の光量を取得する照度センサと、
渋滞情報などをラジオ電波から取得するラジオ情報取得部と、
携帯電話やスマートフォンと接続してハンズフリーによる着信を検出するハンズフリー接続部と、
割り込み音声案内や着信音などを出力する音声出力部と、
ナビゲーション画面や着信などを表示する表示部と、
表示部の輝度を調整する輝度調整部と、
車両の位置情報や渋滞情報を元にユーザに注意を促す割り込みや、携帯電話等による着信割り込みをユーザに通知するタイミングに合わせて表示部の輝度調整を行う、各ブロックを統括的に制御する車載システム制御部と、
を備えた車載用表示装置。
【請求項２】
前記車載システム制御部は、前記車両データ制御部において、ハンドルセンサによりハンドルの傾きが一定以上変化したことを検知した場合は、ユーザが運転に集中している状況と判断して、前記表示部の輝度調整を行う請求項１記載の車載用表示装置。
【請求項３】
前記車載システム制御部は、前記車両データ制御部において、車速センサにより車両の加速度が一定以上の加速・減速したことを検知した場合は、ユーザが運転に集中している状況と判断して、前記表示部の輝度調整を行う請求項１または請求項２記載の車載用表示装置。
【発明の詳細な説明】
【技術分野】
【０００１】
本発明は、外部の明るさに応じた表示装置の輝度制御に関し、ユーザへの視覚負荷を軽減させた車載用表示装置に関するものである。
【背景技術】
【０００２】
従来より、走行案内を行うナビゲーションシステムなど、案内画像等をユーザへ提供する車載用表示装置は、周囲の明るさによって見やすさが変わるため、ヘッドライトの点灯・消灯に連動させて表示装置の輝度を変更することでユーザに対して見やすさを向上させている。
また、ヘッドライトの点灯・消灯に合わせて切り替える方法では実際の周囲の明るさとは直接連動しておらず、状況によっては見づらい可能性があるため、例えば、特許文献１に提示されているように周囲の明るさを検知することで、表示装置の輝度を動的に変更させる手段が考えられる。
【先行技術文献】
【特許文献】
【０００３】
【特許文献１】特開２０００−１０５４３号公報
【発明の概要】
【発明が解決しようとする課題】
【０００４】
しかしながら、上述した周囲の明るさに連動する方法では、ユーザが表示装置を注視している最中でも周囲の明るさと連動して表示装置の輝度が変化することで、ユーザの視覚に対し負担を生じさせてしまう。
本発明は、従来の問題を解決するためになされたもので、大きく画面が変わる状況であったり、ユーザの視点が表示装置に注目していない状況と判断したときに、輝度を変化させることのできる輝度調整方法を提供することを目的とする。
【課題を解決するための手段】
【０００５】
上記目的を達成するために本発明は、車両の位置などの車両情報を制御する車両データ制御部と、外部の光量を取得する照度センサと、渋滞情報などをラジオ電波から取得するラジオ情報取得部と、携帯電話やスマートフォンと接続してハンズフリーによる着信を検出するハンズフリー接続部と、割り込み音声案内や着信音などを出力する音声出力部と、ナビゲーション画面や着信などを表示する表示部と、表示部の輝度を調整する輝度調整部と、車両の位置情報や渋滞情報を元にユーザに注意を促す割り込みや、携帯電話等による着信割り込みをユーザに通知するタイミングに合わせて表示部の輝度調整を行う、各ブロックを統括的に制御する車載システム制御部、という構成を有する。
【発明の効果】
【０００６】
本発明によれば、ナビの案内画面や交通情報の割り込み、ハンズフリーによる着信等により車載器上で画面が大きく変化するタイミングや、車載の情報を元にしたユーザの運転に専念しているタイミングで周囲の光量に最適な画面輝度に変化させることで、ユーザに輝度変化を意識させることなく見やすい画面を提供する効果を奏する。
【図面の簡単な説明】
【０００７】
【図１】本発明の実施の形態における車載表示装置の構成を示すブロック図
【図２】本発明の実施の形態における輝度調整制御の設定による有効・無効切り替え手順を示すフロー図
【図３】本発明の実施の形態における輝度調整制御の処理手順を示すフロー図
【発明を実施するための形態】
【０００８】
以下、本発明の実施の形態について図面を参照しながら説明する。
図１は、本発明の実施の形態における車載用表示装置の主要構成を示すブロック図である。図１に示すように、車載用表示装置１６は、表示部１３を制御する表示制御部１２と、表示部１３の輝度を調整する輝度調整部１４と、各種音声を出力する音声出力部９と、車両情報を取得するためのセンサを制御する車両データ制御部２と、ラジオ電波より情報を取得するラジオ情報取得部１０と、携帯電話やスマートフォンと接続するハンズフリー接続部８と、各機能を統括する車載システム制御部１と、を備えている。
【０００９】
車両データ制御部２は、位置情報を取得するＧＰＳアンテナ３と、車速情報を取得するための車速センサ４と、ハンドルの傾きを検知するハンドルセンサ５と、車両の傾きを検知するジャイロセンサ６と、外部の光量を取得する照度センサ７を制御する。
【００１０】
ＧＰＳアンテナ３やジャイロセンサ６の情報と、地図データベース１５を元に、大きなカーブなどが近づいた際に、ユーザに対し注意を促すための案内を音声出力部９、または表示制御部１２を通して表示部１３に行う。
【００１１】
ラジオ情報取得部１０よりラジオ電波に乗った交通情報が車載システム制御部１に渡され、渋滞などが発生しているのであれば表示制御部１４に通知し、表示されている地図に交通情報が重畳される。また、ユーザに対し音声出力部９から注意喚起を促す案内が出力される。
携帯電話やスマートフォンと接続している状態で着信割り込みが発生した場合、着信していることをユーザに通知するために表示部１３に着信画面を、音声出力部９に着信音声が流れる。
【００１２】
車載システム制御部１は車速センサ４やハンドルセンサ５よりユーザが大きくハンドルを切っている状態や、急加速、急発進の状態であるかを判断する。
照度センサ７を介して取得された外部の光量を元に、車載システム制御部１が適切な表示部の輝度を算出し、輝度調整部１４に輝度調整要求を行うことで、表示部１３のバックライトが変化する。
【００１３】
次に、図２と図３は本発明の形態の動作を説明するフローチャートである。
図２に示すように、ユーザに提供される照度連動に関する設定情報を元に、外部の照度と連動するかを判断する（S101）。照度連動をしない場合は、以降ユーザが設定を照度連動を行う設定に切り替えるまでは何も行わない。照度連動をする場合は、表示部のバックライトを変更するタイミングの設定値から判断を行う（S102）。設定値が無条件に変更するのであれば、表示部のバックライトを常に動的に変化させる（S103）。設定値が条件ありとなった場合、図３に示す処理フローに進む。
【００１４】
車載システム制御部１は様々なイベントを受信し、それらのイベントごとに適切な処理を行うように、イベント通知を受けるたびに本発明に関連するイベントであるかを判断する（S105）。関連するイベントであれば、各イベントに合わせた処理に移る。関連しないイベントであれば本処理を行わず、次のイベント通知を待つ。
【００１５】
着信通知やナビゲーション上での道路状態に伴う注意喚起など、画面・音声の割り込みのイベントであった場合、画面もしくは音声の割り込みを行うための処理を開始し（S106）、同時に照度センサから照度値の取得を行う（S111）。取得した照度値が、前回取得した値と同等か異なるかを確認し（S112）、値が異なる場合には画面・音声の割り込みを行うタイミングに合わせて、表示部の輝度を変化させる（S113）。前回設定した輝度値と同等であれば何も行わない。
【００１６】
通知イベントがハンドル操作の変化を知らせるものである場合、ハンドルの変化に対する処理制御に移る（S107）。この時のハンドル変化値と任意のしきい値との比較を行い（S114）、しきい値以上である場合は、ユーザが左右に曲がる最中のため運転に集中している状況と判断して、輝度の制御処理に移る。
【００１７】
同様に、速度変化を知らせるイベントであった場合には、速度変化に関する処理制御（S108）に移り、加速度の変化量がしきい値以上かどうかを判断する（S115）。しきい値以上の場合は、ユーザが急加速・急停止中という状況と判断して輝度調整処理に移る。しきい値未満であれば通常の運転状況と判断し輝度調整処理を行わない。
ユーザがバックライト変更タイミングの設定値を変更した場合（S109）は本方式を停止させることになるため、終了処理を行い（S116）図２の処理に戻る。
電源ＯＦＦのイベント時（S110）も同様に本方式の終了処理を実施した後に図２に戻り、電源ＯＦＦの処理（S104）に進む。
【００１８】
以上説明したように、本実施形態の車載用表示装置１６は、車両データ制御部２により取得された情報（車両の位置情報など）またはラジオ情報取得部により取得された情報（渋滞情報など）に基づいて、表示部１３にユーザに注意を促す割り込み情報を表示するタイミング、またはハンズフリー接続部８により検出された着信割り込みをユーザに通知するタイミングに合わせて、表示部１３の輝度調整を行う車載システム制御部１を備えている。したがって、ユーザに輝度変化を意識させない適切なタイミングで表示部１３の画面輝度を変化させて見やすい画面を提供することが可能となる。
【産業上の利用可能性】
【００１９】
本発明は、表示装置の輝度値をユーザが注視しないタイミングに合わせて変化させることで、ユーザへの視覚負荷を軽減させつつ表示装置の見やすさを向上させることができるため、車載用の表示装置として有用である。
【符号の説明】
【００２０】
１  車載システム制御部
２  車両データ制御部
３  ＧＰＳアンテナ
４  車速センサ
５  ハンドルセンサ
６  ジャイロセンサ
７  照度センサ
８  ハンズフリー接続部
９  音声出力部
１０  ラジオ情報取得部
１１  ラジオアンテナ
１２  表示制御部
１３  表示部
１４  輝度調整部
１５  地図データベース
１６  車載用表示装置
【図１】
2013185839.tif 000003
【図２】
2013185839.tif 000004
【図３】
2013185839.tif 000005